(57)【要約】【課題】材料費を低減することができる端子金具を提供する。【解決手段】端子金具１０は、金属板のプレス成形品であり、タブ部１１を備える。タブ部１１は、板厚方向で互いに反対側を向く２面のうちの少なくとも１面に、相手端子金具に接触する接点部２１を有し、板幅方向で互いに反対側を向く２面のうちの少なくとも１面に、板厚を増加させるプレス凹部２２を有している。【選択図】図５
2019040830.tif 000002
【特許請求の範囲】
【請求項１】
金属板のプレス成形品であり、タブ部を備え、
前記タブ部は、
板厚方向で互いに反対側を向く２面のうちの少なくとも１面に、相手端子金具に接触する接点部を有し、
板幅方向で互いに反対側を向く２面のうちの少なくとも１面に、板厚を増加させるプレス凹部を有していることを特徴とする端子金具。
【請求項２】
前記プレス凹部は、このプレス凹部の奥側から開口側に向けて前記板厚方向で互いに反対側を向く２面のうちの少なくとも１面に近づく方向に傾斜する斜面を有している請求項１記載の端子金具。
【請求項３】
前記プレス凹部は、前記板幅方向で互いに反対側を向く２面に設けられている請求項１又は２記載の端子金具。
【請求項４】
前記タブ部の基端に、コネクタハウジングの圧入孔に圧入される圧入部が連設され、
前記圧入部は、板厚方向で互いに反対側を向く２面のうちの１面に、第２のプレス凹部を有し、他の１面に、前記第２のプレス凹部に対応した膨出部を有している請求項１ないし３のいずれか１項記載の端子金具。
【請求項５】
前記接点部を有する面と、前記膨出部の膨出端面とは、段差無く連続している請求項４記載の端子金具。
【請求項６】
前記プレス凹部は、前記タブ部における板厚方向で互いに反対側を向く２面のうちの１面のみ板厚を増加させる方向に変位させる請求項１ないし５のいずれか１項記載の端子金具。 
【発明の詳細な説明】
【技術分野】
【０００１】
本発明は、端子金具に関する。
【背景技術】
【０００２】
特許文献１には、導電性の金属よりなる板状の母材をプレス加工してなるオス端子が開示されている。オス端子は、先端側に舌片状のタブを備えている。タブは、板厚方向で互いに反対側を向く２つの平坦面に、接続の相手側となるメス端子と電気的に接触する接点部を有している。
【先行技術文献】
【特許文献】
【０００３】
【特許文献１】特開２０１４−１７５１９６号公報
【発明の概要】
【発明が解決しようとする課題】
【０００４】
この種のオス端子の場合、タブが所定の板厚を有する必要があり、母材となる金属板もタブに対応した板厚である必要がある。一方、金属板の材料費は製造コストの大部分を占めるため、これを低減するべく、金属板を薄くすることが望まれる。
【０００５】
本発明は上記のような事情に基づいて完成されたものであって、材料費を低減することができる端子金具を提供することを目的とする。
【課題を解決するための手段】
【０００６】
本発明の端子金具は、金属板のプレス成形品であり、タブ部を備え、前記タブ部は、板厚方向で互いに反対側を向く２面のうちの少なくとも１面に、相手端子金具に接触する接点部を有し、板幅方向で互いに反対側を向く２面のうちの少なくとも１面に、板厚を増加させるプレス凹部を有しているところに特徴を有する。
【発明の効果】
【０００７】
プレス凹部によってタブ部の板厚が増加するため、母材となる金属板を従来より薄くしても、タブ部の所定の板厚を確保することができる。こうして金属板を従来より薄くすることにより、材料費を低減することができる。
【図面の簡単な説明】
【０００８】
【図１】本発明の実施例１に係る端子金具の斜視図である。
【図２】端子金具の要部側面図である。
【図３】端子金具の要部底面図である。
【図４】端子金具の要部平面図である。
【図５】図４のＡ−Ａ線断面図である。
【図６】図４のＢ−Ｂ線断面図で、且つ圧入部がコネクタハウジングの圧入孔に圧入された状態をあらわす図である。
【図７】タブ部の両側面にプレス加工でプレス凹部を成形する工程をあらわす断面図である。
【発明を実施するための形態】
【０００９】
本発明の好ましい実施形態を以下に示す。  
前記プレス凹部は、このプレス凹部の奥側から開口側に向けて前記板厚方向で互いに反対側を向く２面のうちの少なくとも１面に近づく方向に傾斜する斜面を有しているとよい。これによれば、金属板をプレス凹部の斜面に沿って塑性流動させ、接点部を有する面を円滑に形成することができる。
【００１０】
前記プレス凹部は、前記板幅方向で互いに反対側を向く２面に設けられているとよい。これによれば、接点部を有する面を板幅方向両側から精度良く形成することができる。
【００１１】
前記タブ部の基端に、コネクタハウジングの圧入孔に圧入される圧入部が連設され、前記圧入部は、板厚方向で互いに反対側を向く２面のうちの１面に、第２のプレス凹部を有し、他の１面に、前記第２のプレス凹部に対応した膨出部を有しているとよい。これによれば、圧入部の分も含めて金属板を薄くすることができる。また、膨出部の膨出端面が圧入孔の孔面に当接することで、圧入孔に圧入部を板厚方向に遊びなく圧入することができる。
【００１２】
前記接点部を有する面と、前記膨出部の膨出端面とは、段差無く連続しているとよい。これによれば、圧入孔に圧入部を圧入する過程で、接点部を有する面と膨出部の膨出端面との連設部分がコネクタハウジングに引っ掛かるのを防止することができ、圧入作業を円滑に行うことができる。
【００１３】
前記プレス凹部は、前記タブ部における板厚方向で互いに反対側を向く２面のうちの１面のみ板厚を増加させる方向に変位させるとよい。これによれば、変位しない他の１面の平面性を確実に維持することができ、他の１面に接点部を有することで、接点部の接続信頼性を向上させることができる。
【００１４】
＜実施例１＞
以下、本発明の実施例１を図１〜図７によって説明する。本実施例１の端子金具１０は、銅又は銅合金等からなる導電性の金属板をプレス加工で打ち抜いて形成される。具体的には、金属板の打ち抜きによって連鎖端子がまず形成される。連鎖端子は、複数の端子金具素片が並列に突出するキャリアを有するものである。端子金具１０は、連鎖端子にプレス加工が施された後、キャリアから切断されて成形されるものである。
【００１５】
図１に示すように、端子金具１０は、全体として前後方向に細長く延びる中実角棒状の形態とされている。この端子金具１０は、前部にタブ部１１を備え、後部に基板接続部１２を備えている。基板接続部１２は、タブ部１１より長く形成され、プリント回路基板の接続孔に挿入され、プリント回路基板の導電部に電気的に接続される。なお、基板接続部１２は、必要に応じて屈曲され得る。
【００１６】
また、端子金具１０は、タブ部１１と基板接続部１２との間に、圧入部１３及びストッパ部１４を備えている。図６に示すように、圧入部１３は、プリント回路基板に実装されるコネクタハウジング８０に設けられた圧入孔８１に圧入される。図３に示すように、圧入部１３の両側面（板幅方向（図中Ｘ方向）で互いに反対側を向く両面）には、複数の突起１５が設けられている。各突起１５は、鋸歯状に並んで配置されている。圧入部１３が圧入孔８１に圧入されると、各突起１５が圧入孔８１の両側面に食い込んで係止され、端子金具１０がコネクタハウジング８０に抜け止め状態に保持される。
【００１７】
図６に示すように、圧入部１３の上下両面（板厚方向（図中Ｙ方向）で互いに反対側を向く両面）は、いずれも左右方向（図中Ｘ方向と同方向）に沿って平坦で、且つ互いに平行に配置されている。圧入部１３の下面の左右中央部には、第２のプレス凹部１６が設けられている。第２のプレス凹部１６は、断面角凹状をなし、圧入部１３の略全長にわたって前後方向に延びるスリット溝状をなしている。第２のプレス凹部１６は、これに対応する凸状のプレス金型で押圧されて圧縮成形される。
【００１８】
圧入部１３の上面の左右中央部には、第２のプレス凹部１６の成形に伴って膨出変形されてなる膨出部１７が設けられている。膨出部１７は、第２のプレス凹部１６に対応する断面角凸状をなし、圧入部１３の略全長にわたって前後方向に延びるリブ状をなしている。膨出部１７の膨出端面１７Ｔは、左右方向に沿って平坦に配置されている。膨出部１７の膨出端面１７Ｔと圧入部１３の下面との離間距離は、膨出部１７の膨出分、圧入部１３の両側面の上下寸法より大きくされ、圧入孔８１の上下方向の開口寸法と同一又は同開口寸法より極僅かに小さくされる。このため、圧入部１３が圧入孔８１に圧入されると、図６に示すように、圧入部１３の下面が圧入孔８１の下面に当接可能に配置されるとともに、膨出部１７の膨出端面１７Ｔが圧入孔８１の上面に当接可能に配置される。よって、圧入部１３は、コネクタハウジング８０の圧入孔８１に上下方向に実質的に隙間なく配置される。
【００１９】
図１及び図４に示すように、ストッパ部１４は、圧入部１３の後方に位置し、左右両側に一対の翼部１８が突出する形態になっている。圧入部１３が圧入孔８１に後方から挿入され、両翼部１８がコネクタハウジング８０の後面に当て止されることにより、コネクタハウジング８０に対する端子金具１０の装着位置が規定される。こうして端子金具１０がコネクタハウジング８０に装着された状態では、タブ部１１がコネクタハウジング８０の本体部分から前方（通常はフード内）に突出して配置される。
【００２０】
タブ部１１は、先端部に先窄み状に縮径するテーパ面１９を有している。端子金具１０は、テーパ面１９の誘い込みによって圧入孔８１への圧入動作がガイドされる。  
図５に示すように、タブ部１１の上下両面（板厚方向（図中Ｙ方向）で互いに反対側を向く両面）は、いずれも左右方向（図中Ｘ方向と同方向）に沿って平坦で、且つ互いに平行に配置されている。このタブ部１１の上下両面は、それぞれ相手端子金具の接触部分が弾性的に接触する接点部２１を有している。
【００２１】
タブ部１１の両側面（板幅方向（図中Ｘ方向）で互いに反対側を向く面）は、いずれも上下方向（図中Ｙ方向と同方向）に切り立つように互いに平行に配置されている。タブ部１１の両側面の上部（上下中央部より上側の部分）には、プレス凹部２２が設けられている。プレス凹部２２は、断面略Ｖ字形をなし、タブ部１１の両側面に向けて拡開するテーパ状の斜面２３及び小斜面２４を有している。左右方向の水平軸に対する傾斜角は、上側に位置する斜面２３のほうが小斜面２４より大きくされている。また、プレス凹部２２は、図２に示すように、テーパ面１９を有する先端部を含めてタブ部１１の略全長にわたって前後方向に延びるノッチ溝状をなしている。
【００２２】
図７に示すように、プレス凹部２２は、これに対応する凸状のプレス型６０に押圧されて圧縮成形される。タブ部１１は、プレス凹部２２の斜面２３に対応する斜面部６１をもったプレス型６０が側面に打ち込まれることにより、側面側の素材が上方へ塑性流動し、上面の高さ位置が、型抜き時の高さ位置より上方に位置するようになる。つまり、タブ部１１は、プレス凹部２２の斜面２３によって盛り上げられ、板厚が増加させられた状態になる。
【００２３】
タブ部１１の上側の左右角部２５は、プレス凹部２２の成形に伴う上方への塑性流動によって内側（左右中央側）へやや退避し、曲面状の形態をとる。一方、タブ部１１の下側の左右角部２６は、実質的に塑性流動する変形部分にはならず、テーパ状の面取りが施されることになる。
【００２４】
図１及び図２に示すように、タブ部１１の上面は、膨出部１７の膨出端面１７Ｔに実質的に同じ高さ位置で連なり、タブ部１１の上面と膨出部１７の膨出端面１７Ｔとの連設部分は、実質的に段差無く連続している。また、タブ部１１の上面は、膨出部１７を除く圧入部１３の上面、ストッパ部１４の上面及び基板接続部１２の上面より一段高く配置されている。
【００２５】
コネクタハウジング８０が相手コネクタハウジングに嵌合されると、相手コネクタハウジングに装着された相手端子金具の接触部分がタブ部１１の上下両面の接点部２１に弾性的に接触するようになっている。この場合に、母材となる金属板を薄くしても、プレス凹部１６によってタブ部１１の板厚が増加するため、タブ部１１の上下両面の接点部２１間の距離を所定値に確保することができ、端子金具１０と相手端子金具との良好な接続を実現することができる。
【００２６】
以上説明したとおり、本実施例１によれば、タブ部１１の側面にプレス凹部２２が成形されることによってタブ部１１の板厚が増加するため、母材となる金属板を従来より薄くしても、タブ部１１の板厚を確保することができる。こうして金属板を従来より薄くすることができることにより、材料費を低減することができる。
【００２７】
また、圧入部１３の下面に第２のプレス凹部１６が設けられ、圧入部１３の上面に第２のプレス凹部１６に対応した膨出部１７が設けられているため、膨出部１７の膨出端面１７Ｔがコネクタハウジング８０の圧入孔８１の上面に当接することで、圧入孔８１に圧入部１３を上下方向に遊びなく圧入することができる。したがって、従来より薄い金属板を用いて端子金具１０を製造しても、コネクタハウジング８０を従来のものから設計変更させずに済む。また、接続相手となる相手端子金具及び相手コネクタハウジグを従来のものから設計変更する必要もない。
【００２８】
しかも、タブ部１１の上面と膨出部１７の膨出端面１７Ｔとが段差無く連続しているため、コネクタハウジング８０の圧入孔８１に圧入部１３を圧入する過程で、タブ部１１の上面と膨出部１７の膨出端面１７Ｔとの連設部分がコネクタハウジング８０に引っ掛かるのを防止することができ、圧入作業を円滑に行うことができる。
【００２９】
また、プレス凹部２２がその奥側から開口側に向けて上面に近づく方向に傾斜する斜面２３を有しているため、プレス凹部２２の斜面２３に沿って塑性流動させ、タブ部１１の上面を円滑に形成することができる。
【００３０】
さらに、プレス凹部２２がタブ部１１の両側面に設けられているため、タブ部１１の上下両面の平面性を確保することができ、接点部２１の接続信頼性を確保することができる。
【００３１】
さらにまた、プレス凹部２２がタブ部１１の上面側のみ板厚を増加させる向きに変位させるため、変位しないタブ部１１の下面の平面性を確実に維持することができ、接点部２１の接続信頼性をより向上させることができる。
【００３２】
＜他の実施例＞
以下、他の実施例を簡単に説明する。  
（１）端子金具は、電線の端部に接続されるものであってもよい。この場合、端子金具は、基板接続部に代えて電線の端部に接続されるバレル部を有するとよい。  
（２）接点部は、タブ部の上下両面のいずれか一方のみに設けられるものであってもよい。  
（３）プレス凹部は、小斜面を有さず、例えば、小斜面に相当する下面が左右方向に水平に配置されるものであってもよい。  
（４）プレス凹部は、タブの両側面のいずれか一方の側面のみに設けられるものであってもよい。  
（５）タブ部の上下両面がプレス凹部によっていずれも板厚増加方向に変位するものであってもよい。この場合に、プレス凹部は、タブ部の両側面の上下中央部に設けられ、斜面が上下両側に設定され、それぞれ水平軸に対してほぼ同じ傾斜角で傾斜するように設けられるとよい。
【符号の説明】
【００３３】
１０…端子金具
１１…タブ部
１３…圧入部
１６…第２のプレス凹部
１７…膨出部
２１…接点部
２２…プレス凹部
２３…斜面
【図１】
2019040830.tif 000003
【図２】
2019040830.tif 000004
【図３】
2019040830.tif 000005
【図４】
2019040830.tif 000006
【図５】
2019040830.tif 000007
【図６】
2019040830.tif 000008
【図７】
2019040830.tif 000009